(57)【特許請求の範囲】
【請求項１】
所定枚数の液晶パネルを一体的に保持する保持部材を介してユニットパネルを形成し、さらに、前記ユニットパネルをそのユニット毎に支持する支持ブラケットを介して前記ユニットパネルを組み合わせると共に、前記支持ブラケットの幅を、前記ユニットパネルの幅よりも短い幅寸法として複数の前記ユニットパネルを組み合わせ可能とし、それぞれの前記支持ブラケットを、上側に配設する大型の上部支持ブラケットと、下側に配設され前記大型の支持ブラケットより小型の下部支持ブラケットとの上下一対の支持ブラケットから構成したことを特徴とする液晶パネルによる多画面表示装置。
【請求項２】
前記保持部材が、所定枚数の液晶パネルを縦一列に配列して、その側部を保持する左右一対の板状フレームを備えると共に、それぞれの板状フレームが前記液晶パネルの両側部に配設される複数の取付ネジ孔に対応する取付孔を備えており、前記取付ネジ孔を介して前記板状フレームを前記液晶パネルの両側部にネジ止めした構成としていることを特徴とする請求項１に記載の液晶パネルによる多画面表示装置。
【請求項３】
前記支持ブラケットが、カギ型に曲がった板金フレームであって、壁等の固定物に固着する固定部と、該固定部から所定距離離れた位置に立設して前記ユニットパネルを引掛け可能な引掛け部とを備えていると共に、前記引掛け部に前記保持部材との干渉を避ける分断部を設けて、縦方向に複数列の液晶パネルを配設可能としていることを特徴とする請求項１または２に記載の液晶パネルによる多画面表示装置。
【請求項４】
前記固定部に多数のネジ孔を設けると共に、大型の前記上部支持ブラケットは前記引掛け部の高さが高く、前記固定部に設けるネジ孔を複数列に設けていることを特徴とする請求項３に記載の液晶パネルによる多画面表示装置。
【請求項５】
ビデオ装置や制御装置を備える制御手段を登載したキャスター付き架台に前記支持ブラケットを装着して、複数のユニットパネルを着脱自在としたことを特徴とする請求項１から４のいずれかに記載の液晶パネルによる多画面表示装置。
【請求項６】
前記液晶パネルが少なくともＲＧＢ信号およびＶＩＤＥＯ信号を入力可能な接続端子を備えていることを特徴とする請求項１から５のいずれかに記載の液晶パネルによる多画面表示装置。
【請求項７】
それぞれの液晶パネルに表示する映像を個別に制御可能であり、さらに複数の液晶パネルに所定の映像を拡大して表示可能とする制御装置を備えていることを特徴とする請求項１から６のいずれかに記載の液晶パネルによる多画面表示装置。
【発明の詳細な説明】
【技術分野】
【０００１】
本発明は、液晶パネルを複数組み合わせて大画面もしくは多画面の表示装置を構成する液晶パネルによる多画面表示装置に関するものである。
【背景技術】
【０００２】
最近では、液晶パネルやプラズマディスプレイ等の各種の表示装置が開発されている。また、それぞれの表示装置において、軽量化、薄型化および表示画面の大型化が望まれている。
【０００３】
表示画面の大型化のためには、表示装置単体を大型とするか、単独では小型の表示装置を複数組み合わせて大型にするかの二通りの方法がある。しかし、消費電力が小さくて軽量化および薄型化が容易に達成可能な液晶パネル単独では、現時点において最大５０インチ程度の画面サイズが限度となっている。
【０００４】
そのために、それ以上の大きさの画面サイズを求めるなら、複数の液晶パネルを組み合わせて大型画面とすることが必要となり、取り付け具の一方の側に二個以上の液晶表示パネルを取り付けて、前記取り付け具の両側に液晶表示パネルを取り付けることで、合計四個以上の液晶表示パネルを備えるとした表示装置が既に公開されている。（例えば、特許文献１参照）。
【０００５】
また、平面ディスプレイユニットを複数縦横に並べて取り付ける多画面の平面ディスプレイ取付構造も既に公開されている。（例えば、特許文献２参照）。
【特許文献１】特開２００３−１５５５３号公報（第１−７頁、第２図）
【特許文献２】特開平１０−２０７３８５号公報（第１−４頁、第２図）
【発明の開示】
【発明が解決しようとする課題】
【０００６】
単独では小型の表示装置を複数組み合わせて大型にする際には、持ち運びや輸送の簡便さのために、それぞれの小型の表示装置を個別に輸送することが好ましい。また、複数の表示装置を容易に組み合わせることができれば好適である。
【０００７】
さらに、所望される画面サイズが均一ではないので、任意の大きさの画面サイズに対応可能な組付構成とすることが必要となる。また、好ましくは、複数の小型の表示装置からなる多画面表示装置において、それぞれの画面にそれぞれ別の映像を表示するか、一個の映像を多画面一杯に表示するか、または、所定の中間サイズの映像に表示するかも任意に設定可能としたい。
【０００８】
本発明の目的は、消費電力が小さくて軽量化および薄型化が容易に達成可能な液晶パネルを複数組み合わせて大画面の表示装置を形成する際に、持ち運びが容易であり、且つ、組立が簡便で見映えが良く、さらに任意の画面サイズに簡単に対応可能な液晶パネルによる多画面表示装置を提供することである。
【課題を解決するための手段】
【０００９】
上記の目的を達成するために請求項１に係る発明は、所定枚数の液晶パネルを一体的に保持する保持部材を介してユニットパネルを形成し、さらに、前記ユニットパネルをそのユニット毎に支持する支持ブラケットを介して前記ユニットパネルを組み合わせると共に、前記支持ブラケットの幅を、前記ユニットパネルの幅よりも短い幅寸法として複数の前記ユニットパネルを組み合わせ可能とし、それぞれの前記支持ブラケットを、上側に配設する大型の上部支持ブラケットと、下側に配設され前記大型の支持ブラケットより小型の下部支持ブラケットとの上下一対の支持ブラケットから構成した多画面表示装置であることを特徴としている。
【００１０】
上記の構成を有する請求項１に係る発明によれば、薄くて軽量であり、且つ消費電力の少ない液晶パネルを用いて任意の大きさの多画面表示装置を得ることができる。さらに、大型の上部支持ブラケットと小型の下部支持ブラケットを介してそれぞれのユニットパネル毎に着脱自在な構成としたので、組立や取り外しを安定して簡便に行うことができる。
【００１１】
請求項２に係る発明は、前記保持部材が、所定枚数の液晶パネルを縦一列に配列して、その側部を保持する左右一対の板状フレームを備えると共に、それぞれの板状フレームが前記液晶パネルの両側部に配設される複数の取付ネジ孔に対応する取付孔を備えており、前記取付ネジ孔を介して前記板状フレームを前記液晶パネルの両側部にネジ止めした構成としていることを特徴としている。
【００１２】
上記の構成を有する請求項２に係る発明によれば、所定枚数の液晶パネルをその側部を板状フレームを介して一体化することができる。
【００１３】
請求項３に係る発明は、前記支持ブラケットが、カギ型に曲がった板金フレームであって、壁等の固定物に固着する固定部と、該固定部から所定距離離れた位置に立設して前記ユニットパネルを引掛け可能な引掛け部とを備えていると共に、前記引掛け部に前記保持部材との干渉を避ける分断部を設けたことを特徴としている。
【００１４】
上記の構成を有する請求項３に係る発明によれば、カギ型に曲がった支持ブラケットに引掛けることで、ユニットパネルの着脱が自在となり、また、確実に固定することができる。さらに、保持部材との干渉を避ける分断部を備えているので、液晶パネルを複数列配列したユニットパネルを一体的にユニット毎に着脱自在とすることができる。
【００１５】
請求項４に係る発明は、前記固定部に多数のネジ孔を設けると共に、大型の前記上部支持ブラケットは前記引掛け部の高さが高く、前記固定部に設けるネジ孔を複数列に設けていることを特徴としている。
【００１６】
上記の構成を有する請求項４に係る発明によれば、多数のネジ孔を備えているので、適当なネジ孔を用いてネジ固定可能であり、支持ブラケットの取り付け作業が容易となる。また、上部支持ブラケットが大型なので、ユニットパネルの荷重を安定して受けることができる。
【００１７】
請求項５に係る発明は、ビデオ装置や制御装置を備える制御手段を登載したキャスター付き架台に前記支持ブラケットを装着して、複数のユニットパネルを着脱自在としたことを特徴としている。
【００１８】
上記の構成を有する請求項５に係る発明によれば、キャスター付き架台にユニットパネルを着脱自在であるので、移動自在な多画面表示装置に容易に組立可能となる。
【００１９】
請求項６に係る発明は、前記液晶パネルが少なくともＲＧＢ信号およびＶＩＤＥＯ信号を入力可能な接続端子を備えていることを特徴としている。
【００２０】
上記の構成を有する請求項６に係る発明によれば、任意のテレビ画像またはビデオ画像を表示する液晶パネルによる多画面表示装置とすることができる。
【００２１】
請求項７に係る発明は、それぞれの液晶パネルに表示する映像を個別に制御可能であり、さらに複数の液晶パネルに所定の映像を拡大して表示可能とする制御装置を備えていることを特徴としている。
【００２２】
上記の構成を有する請求項７に係る発明によれば、複数の液晶パネルにそれぞれ別の映像を表示することも、所定枚数の大きさの多画面表示することも自由に設定し制御することができる。
【発明の効果】
【００２３】
本発明によれば、消費電力が小さくて軽量化および薄型化が容易に達成可能な液晶パネ
ルを組み合わせて大画面の表示装置とすることで、持ち運びが容易であり、且つ、組立が簡便で見映えが良く、さらに任意の画面サイズに簡単に対応可能な液晶パネルによる多画面表示装置を得ることができる。
【発明を実施するための最良の形態】
【００２４】
消費電力が小さくて軽量化および薄型化が容易に達成可能な液晶パネルを複数組み合わせて大画面の表示装置を形成する際に、持ち運びが容易であり、且つ、組立が簡便で見映えが良く、さらに任意の画面サイズに簡単に対応可能な液晶パネルによる多画面表示装置を得るという目的を、所定枚数の液晶パネルを一体的に保持する保持部材を介して形成されるユニットパネルを複数組み合わせた構成の多画面表示装置とすることで実現した。
【実施例】
【００２５】
以下、本発明に係る液晶パネルによる多画面表示装置の実施例について、図１から図７に基づいて説明する。
【００２６】
本発明に係る多画面表示装置１は、液晶パネルＰを複数枚組み合わせて一体のユニットパネルＵＰを形成し、さらにこのユニットパネルＵＰを複数セット組み合わせた構成とされている。また、ユニットパネルＵＰは、後述するように、パネル毎に壁あるいは架台に取り付けることが可能な構成としている。
【００２７】
図１には、ユニットパネルＵＰを複数組み合わせて構成される多画面表示装置１を示している。図中の実線に示すユニットパネルＵＰ１は、６枚（２×３）の液晶パネルＰを組み合わせて一体化したものである。また、該ユニットパネルＵＰ１と、想像線で示すユニットパネルＵＰ２と、ＵＰ３とで多画面表示装置１を構成している。
【００２８】
次に図２および図３により、液晶パネルＰおよびユニットパネルＵＰについて詳細に説明する。
【００２９】
図２（ａ）には液晶パネルＰ単体の一例として、幅Ｈ１が約３６０ｍｍで高さＶ１が約３００ｍｍの１７インチの液晶パネルを示している。また、パネル部１１と電装部１２とを合わせた厚みＴ１は約４０ｍｍである。
【００３０】
パネル部１１の外周には幅ｈが約１１ｍｍの枠部１１Ａを備えており、前記枠部１１Ａを除く中央部分が表示画面となっている。
【００３１】
また、パネル部１１の後部には電装部１２が設けられており、該電装部１２には電力や信号入力のための接続端子が備えられている。入力される信号は少なくともＲＧＢ信号およびＶＩＤＥＯ信号がそれぞれ入力可能であり、さらに、必要に応じてＳ−ＶＩＤＥＯ信号やＤＶＩ信号も入力可能とされている。
【００３２】
図２（ｂ）には、ユニットパネルＵＰを構成するための保持部材１３の構成例を示しており、液晶パネルＰを横２個縦３個の計６個一体的に保持するものである。前記保持部材１３は、上部材１３ａ、下部材１３ｂ、側部材１３ｃ、後部材１３ｄおよび側面保持部材１４を備えており、これらの部材を介して複数の液晶パネルを一体的に組み付けることで、一体のユニットパネルＵＰを形成している。
【００３３】
この時に、まず縦一列の３個の液晶パネルを組み合わせて、その両側の側面部に側部材１３ｃと側面保持部材１４を装着してユニットパネルＵＰａを構成する。その後で次の縦一列の３個の液晶パネルを組み合わせて、別の側部材１３ｃと側面保持部材１４を装着してユニットパネルＵＰｂを構成する。さらにこれらのユニットパネルＵＰａとＵＰｂとを
組み合わせて、その上側に上部材１３ａを架け渡して装着し、下側に下部材１３ｂを架け渡して装着することで、一体のユニットパネルＵＰを構成する。
【００３４】
図３には一体化されたユニットパネルＵＰの正面図を示している。保持部材１３を構成するそれぞれの部材は板金を折り曲げ構成したものであり、薄い板金製であってもフレーム強度を備えるよう考慮されている。この時、上部材１３ａの折り曲げ幅ｈａ、下部材１３ｂの折り曲げ幅ｈｂ、側部材１３ｃの折り曲げ幅ｈｃを共に前述の枠部１１Ａの幅ｈと同等の寸法としている。
【００３５】
そのために、保持部材１３を構成するいずれの部材も、その折り曲げ部分が液晶パネルＰのパネル部１１の表示画面範囲を狭めることがない。さらに、前記側面保持部材１４も厚みの薄い板金製とすることで、隣接する液晶パネルＰのパネル部間隔ｈｄを最小に抑えるよう工夫されている。
【００３６】
前記保持部材１３を構成する上部材１３ａ、下部材１３ｂ、側部材１３ｃ、後部材１３ｄおよび前記側面保持部材１４は、いずれも薄い板金を折り曲げ構成した板状フレームであって、それぞれの板状フレームが前記液晶パネルＰの枠部１１Ａの両側部に配設される複数の取付ネジ孔に対応する取付孔を備えており、前記取付ネジ孔を介して前記板状フレームを前記液晶パネルの両側部にネジ止めした構成としている。
【００３７】
また、前記液晶パネルに設ける取付ネジ孔および前記板状フレームの取付孔に面取り部を設け、皿ビスを用いて前記液晶パネルと前記板状フレームとをネジ止めすることで、前記液晶パネルの両側部に配設される前記板状フレームからネジ頭が突出しない構成としている。（図７参照）
図７に、ネジ頭が突出しない構成例を示す。枠部１１ａに板状フレーム１４ａを固着する際に、皿ビス１８を用いると共に、前記枠部１１ａに設ける取付ネジ孔１１ｂに面取り部１１ｃを設け、さらに、板状フレーム１４ａの取付孔１７にも面取り部１７ａを設けて、皿ビス１８のネジ頭を完全に埋没させる構成としている。つまり、液晶パネルと板状フレームとを固着する際には、液晶パネルに設ける取付ネジ孔１１ｂおよび前記板状フレームの取付孔１７の両方に面取り部（１１ｃ、１７ａ）を設けて、皿ビス１８を前記面取り部に埋没させて、皿ビスのネジ頭が突出しない構成とすることができる。
【００３８】
そのために、薄い板金製の板状フレームである保持部材同士を密着させて、多数の液晶パネルを配設することができる。
【００３９】
上記のような構成とすることで、複数の液晶パネルＰを組み合わせて構成したユニットパネルＵＰであっても、それぞれの液晶パネルを隙間なく密接して配置することができ、複数のパネル部により表示される画像を違和感なく視認することができる。
【００４０】
例えば、前記保持部材を１ｍｍ程度以下の薄い板金製とすることで、前述の幅Ｈ１が約３６０ｍｍで高さＶ１が約３００ｍｍの１７インチの液晶パネルを二列三段（２×３）の計６個組み合わせた例では、その全幅ＨＡが７２０ｍｍ程度であり、全高さＶＡが約６００ｍｍ程度とすることができ、複数の液晶パネルにより一つの画像を映写しても、その画像を違和感なく視認することができる。
【００４１】
また、前記ユニットパネルＵＰには、壁やキャスター付き架台に配設する支持ブラケットに係合する取付フレームが装着されており、該取付フレームを前記支持ブラケットに係合することで、ユニットパネルＵＰを支持ブラケットに固定することができる。また、前記取付フレームと前記支持ブラケットとの係合関係を解除することで、ユニットパネルＵＰを取り外すことができる。そのために、ユニットパネルＵＰを一体的に前記支持ブラケ
ットに対して着脱自在とすることができる。
【００４２】
次に、図４により取付フレームと支持ブラケットとの係合関係について説明する。
【００４３】
図４には壁掛け式の構成例を示しており、（ａ）は側面図であり、（ｂ）は上部支持ブラケットを示す概略説明図であり、（ｃ）は下部支持ブラケットを示す概略説明図である。
【００４４】
図４（ａ）に示す構成例は、壁に配設する支持ブラケット１５、１６にユニットパネルＵＰを着脱自在とする例であり、前記支持ブラケット１５の形状例を図４（ｂ）に、前記支持ブラケット１６の形状例を図４（ｃ）に示している。前記支持ブラケット１５、１６は共にカギ型に曲がった板金フレームであって、壁等の固定物に固着する固定部と、該固定部から所定距離離れた位置に立設してユニットパネルＵＰを引掛け可能な引掛け部とを備えている。
【００４５】
支持ブラケット１５は、固定部１５ａと引掛け部１５ｂを備え、支持ブラケット１６は、固定部１６ａと引掛け部１６ｂを備えている。引掛け部１５ｂ、１６ｂは共に、分断部１５ｃ、１６ｃをそれぞれ有しているが、これは、液晶パネルを二列三段（２×３）に配列する際の中央部に位置する側面保持部材１４との干渉を避けるためである。前記固定部１６ａは前記固定部１５ａよりも小型であって、ネジ装着用のネジ孔１９が一列に設けられているが、固定部１６ａよりも大型な前記固定部１５ａには複数列（図示例は二列）のネジ孔１９を設けている。また、引掛け部１６ｂの高さＬ２よりも、引掛け部１５ｂの高さＬ１を高くしている。
【００４６】
ユニットパネルＵＰを壁に設置する際に、支持ブラケットを少なくとも上下二段に設置する。この際に、同一形状の支持ブラケットを複数設置してもよいが、引掛け部の高さが高くネジ孔も複数列である大型な支持ブラケット１５を上側に設置し、引掛け部の高さが低くネジ孔も一列である小型な支持ブラケット１６を下側に設置すると、下記に示す効果を発揮し好適である。
【００４７】
大型な支持ブラケット１５を上側に設置して、小型な支持ブラケット１６を下側に設置する際に、ユニットパネルＵＰの荷重を主に上側の大型な支持ブラケット１５が安定的に受ける構成とすることができる。また、支持ブラケットに取り付けていたユニットパネルＵＰを取り外す際に、前記ユニットパネルＵＰを少し持ち上げると、初めに下側の小型な支持ブラケット１６との係合関係が解除される。この時には、上側の大型の支持ブラケット１５との係合関係は維持されており、不安定とはならない。さらに、この状態でユニットパネルＵＰを上側に持ち上げて、支持ブラケット１５との係合関係を解除することで、ユニットパネルＵＰを完全に取り外すことができる。
【００４８】
また、逆にユニットパネルを支持ブラケットに装着する際には、上記の取り外す動作とは逆方向の動作となり、少し傾けた状態で、最初に上側の支持ブラケットにユニットパネルＵＰをはめ込む。その後で、下側を壁方向に押し込んで、上下両方の支持ブラケットに載置するように下に降ろしてやればよい。
【００４９】
ユニットパネルＵＰには、保持部材１３を構成する後部材１３ｄが水平方向に複数配設されており、この後部材１３ｄが前記支持ブラケット１５、１６の引掛け部１５ｂ、１６ｂにそれぞれ係合する取付フレームとなる構成である。
【００５０】
前記後部材１３ｄは４個装着されているが、そのいずれをも取付フレームとして使用可能である。本実施例では、支持ブラケットを上下二段の２個使用しているので、そのうち
の２個の後部材１３ｄを取付フレームとしている。
【００５１】
断面コの字状の後部材１３ｄを取付フレームとして、カギ型に曲がった支持ブラケット１５、１６の立設している引掛け部１５ｂ、１６ｂに引掛ける（係合させる）構成としているので、ユニットパネルＵＰを確実に固定することができる。そのために、ユニットパネルＵＰを一旦支持ブラケットに設置すると、前記ユニットパネルＵＰを持ち上げる動作なしでは、その係合状態を解除することはできない。
【００５２】
支持ブラケットの固定部にそれぞれ設けられているネジ装着用のネジ孔１９は、図示するように多数設けられているが、その全てのネジ孔をネジ止めする必要はなく、所定個数のネジ孔を用いてネジ固定すればよい。そのために、壁等に新たにネジ孔を設ける際にも適当な任意の位置に設ければよく、また、予め壁等に設けられたネジ孔を利用することも可能となり、支持ブラケットの取り付け作業を容易に行うことができる。
【００５３】
図３に示す２×３の１７インチ液晶パネルからなるユニットパネルＵＰを設置するための前記支持ブラケット１５、１６の幅は、ユニットパネルＵＰの全幅ＨＡよりも短い幅寸法としており、複数のユニットパネルＵＰを連続して配設可能としている。そのために、２×３の計６個の液晶パネルからなるユニットパネルＵＰを隙間なく密接して設置することができる。
【００５４】
図５には、１７インチ液晶パネルＰを２×３組み合わせたユニットパネルを４列一体的に配設した例を示している。すなわち、この例は、合計２４個の１７インチ液晶パネルを密着して配列した多画面表示装置であるが、この時の前記多画面表示装置の幅Ｈは２９００ｍｍ程度でありその高さＶは９００ｍｍ程度である。また設置する壁からの厚みＴを略５５ｍｍ程度とすることができる。
【００５５】
上記のように、本発明によれば、壁に支持ブラケットとして、上部支持ブラケット１５（１５Ａ、１５Ｂ、１５Ｃ、１５Ｄ）と下部支持ブラケット１６（１６Ａ、１６Ｂ、１６Ｃ、１６Ｄ）をそれぞれ上下二段に取り付けるだけで、所定サイズの大きな多画面表示装置を設置することができる。
【００５６】
それぞれの液晶パネルＰに何を表示させるかを制御する制御装置２２と、パソコン２１とを架台２０に設置して、ケーブル２３を介してそれぞれの液晶パネルＰと電気的に接続している。また、前記制御装置２２に、別に設置する複数の監視カメラやビデオ装置からの信号を入力し、どんな映像を表示するかをパソコン２１が制御し調整する構成とすることができる。
【００５７】
図６には、２×３のユニットパネルを２セット合計１２個の液晶パネルをキャスター付き架台３０に配設した例を示している。
【００５８】
この例では、架台本体フレーム３１に配設される上部支持ブラケット１５と下部支持ブラケット１６にそれぞれのユニットパネルＵＰ１、ＵＰ２を装着する構成である。また、ビデオ装置や制御装置を備える制御手段３２を前記架台本体フレーム３１の下部に搭載して、多画面表示装置として一体化構成としている。
【００５９】
そのために、キャスター付き架台３０にユニットパネルＵＰ１、ＵＰ２が着脱自在であり、且つ、移動自在な構成となっている。さらに、遠隔地に搬送する際には、前記キャスター付き架台３０と、前記ユニットパネルＵＰ１、ＵＰ２とを別々に梱包し搬送して、所定の会場等にて、多画面表示装置に容易に組立可能である。
【００６０】
もちろん、ユニットパネルを構成する液晶パネルＰの枚数は上記の２×３には限定されず、２×２あるいは３×３のユニットパネルを複数組み合わせた多画面表示装置とすることができる。
【００６１】
この構成の多画面表示装置であっても、それぞれの液晶パネルを密着して配列した多画面表示装置とすることができる。さらに、それぞれの液晶パネルに表示する映像を個別に制御可能であり、さらに複数の液晶パネルに所定の映像を拡大して表示可能となり、種々の要望に容易に対応可能となるので、多くのイベント会場等に有効な多画面表示装置を得ることができる。
【００６２】
上記したように、本発明によれば、所定枚数の液晶パネルを一体的に保持する保持部材を介して形成されるユニットパネルを複数組み合わせた構成としているので、消費電力が小さくて軽量化および薄型化が容易に達成可能な液晶パネルを複数組み合わせた大画面の表示装置を形成する際に、持ち運びが容易であり、且つ、組立が簡便で見映えが良く、さらに任意の画面サイズに簡単に対応可能な液晶パネルによる多画面表示装置を得ることができる。
【図面の簡単な説明】
【００６３】
【図１】本発明に係る多画面表示装置を示しており、ユニットパネルＵＰを複数組み合わせて構成される多画面表示装置１の概略正面図である。
【図２】液晶パネルおよびユニットパネルを示し、（ａ）は液晶パネルの斜視図であり、（ｂ）はユニットパネルを構成する保持部材の組立構成例を示す全体斜視図である。
【図３】一体化されたユニットパネルＵＰの正面図である。
【図４】壁掛け式の構成例を示し、（ａ）は側面図であり、（ｂ）には上部支持ブラケットを示し、（ｃ）には下部支持ブラケットを示す概略説明図である。
【図５】液晶パネルＰを２×３組み合わせたユニットパネルを４列一体的に配設した多画面表示装置を示している。
【図６】液晶パネルＰを２×３組み合わせたユニットパネルを２列一体的に配設したキャスター付き架台式の多画面表示装置を示す概略正面図である。
【図７】板状フレームの取り付け構成例を示す断面図である。
【符号の説明】
【００６４】
１  多画面表示装置
１１  パネル部
１１ｂ  取付ネジ孔
１３  保持部材（板状フレーム）
１３ｄ  後部材（取付フレーム）
１４  側面保持部材（板状フレーム）
１５  支持ブラケット（上部）
１６  支持ブラケット（下部）
１７  取付孔
１８  皿ビス
２２  制御装置
３０  キャスター付き架台
Ｐ  液晶パネル
ＵＰ  ユニットパネル
【要約】
【課題】  消費電力が小さくて軽量化および薄型化が容易に達成可能な液晶パネルを複数組み合わせて大画面の表示装置を形成する際に、持ち運びが容易であり、且つ、組立が簡便で見映えが良く、さらに任意の画面サイズに簡単に対応可能な液晶パネルによる多画面表示装置を提供することである。
【解決手段】  所定枚数の液晶パネルＰを一体的に保持する保持部材を介して形成されるユニットパネルＵＰを複数組み合わせた構成の多画面表示装置１とした。
【選択図】    図１
【図１】
0003725150.tif 000002
【図２】
0003725150.tif 000003
【図３】
0003725150.tif 000004
【図４】
0003725150.tif 000005
【図５】
0003725150.tif 000006
【図６】
0003725150.tif 000007
【図７】
0003725150.tif 000008